(57)【要約】【課題】巻取り軸に重ねて巻いた内側と外側のスクリーンの間に断熱用の空気層を形成するものにおいて、内側と外側に巻かれたスクリーンの長さの差がボトムバーの姿勢に影響を与えないようにした断熱用スクリーン装置を提供する。【解決手段】単一の巻取り軸４に内側及び外側のスクリーン５ａ，５ｂを重ねた状態で巻き、ガイド筒６により重ねたスクリーンの間に断熱のための空気層７を形成したものにおいて、上記各スクリーンの下端に単一のボトムバー１０を取り付け、吊下した上記各スクリーンの間の空気層の側端を閉じると共に上記各スクリーンの側端をガイドするレール枠１２に、ボトムバーの側端を該ボトムバーが一定の姿勢で昇降するようにガイドするガイド部１２ａを設ける。【選択図】図１
2011196025.tif 000002
【特許請求の範囲】
【請求項１】
単一の巻取り軸に複数のスクリーンの一端部を重ねた状態で巻取り自在に取り付け、
該スクリーンの巻取り軸から導出した部位において、上記重ねたスクリーンの間に断熱のための空気層を形成するためのガイド筒を配設し、
上記空気層を介して吊下する上記各スクリーンの下端に単一のボトムバーを取り付け、
吊下した上記各スクリーンの間の空気層の側端を閉じると共に上記各スクリーンの側端をガイドするレール枠に、上記ボトムバーの側端を該ボトムバーが一定の姿勢で昇降するようにガイドするガイド部を設けた、
ことを特徴とする断熱用スクリーン装置。
【請求項２】
上記スクリーンを建物開口部の下端まで吊下した状態において各スクリーンが平行になるように形成している、
ことを特徴とする請求項１に記載の断熱用スクリーン装置。
【請求項３】
上記複数のスクリーンが、上記巻取り軸に巻かれた内側及び外側の２枚のスクリーンであり、上記内側と外側に巻かれたスクリーンの巻径の差により生じるスクリーン吊下時の外側スクリーンのたるみを除去する手段を備えた、
ことを特徴とする請求項１または２に記載の断熱用スクリーン装置。
【請求項４】
上記たるみを除去する手段が、上記両スクリーンまたはいずれか一方のスクリーンの下端に沿って設けた係合部材と、
上記係合部材に対向するボトムバーの前部縁及び／または後部縁に形成した上記係合部材と係合する係合部とにより形成され、
上記係合部材は、上記ボトムバーの係合部に対して上記たるみを吸収する範囲内で上下方向に摺動自在とした、
ことを特徴とする請求項３に記載の断熱用スクリーン装置。
【請求項５】
上記たるみを除去する手段が、外側のスクリーンに対して上下方向の引張力を作用させる引張手段である、
ことを特徴とする請求項３に記載の断熱用スクリーン装置。
【発明の詳細な説明】
【技術分野】
【０００１】
本発明は、窓や出入り口等の建物開口部に設置して該建物開口部における断熱を行えるようにした断熱用スクリーン装置に関するものである。
【背景技術】
【０００２】
建物開口部等における断熱を行う簡易なスクリーン装置としては、単一の巻取り軸に二つ折りにしたスクリーンの両端を重ねて取り付け、折返し部を吊下した該スクリーンの下端折返し部と巻取り軸から導出した上部とにおいて、二つ折りされている２枚のスクリーンの間に断熱のための空気層を形成するスペーサを介在させるようにしたものが特許文献１等において知られている。
【０００３】
この種のスクリーン装置においては、二つ折りしたスクリーンの両端を重ねて巻取り軸に取り付け、二重にしたスクリーンを巻取り軸に巻くことになるため、該二重のスクリーンが巻取り軸から巻き戻されると、該二重の外側に巻かれたスクリーンが内側に巻かれたスクリーンよりも該内側スクリーンの厚さ分だけ巻径が大きいことから、外側のスクリーンの巻き戻し長さが内側のスクリーンのそれよりも長くなり、そのため、スクリーンの折返し部にボトムバーを固定的に設けておくと、その姿勢が建物開口部の上部から下部に降下する間に回動することになる。
【０００４】
そのため、特許文献１に開示されているスクリーン装置では、スクリーンの折返し部内に円筒状のボトムバー（スペーサ）を回転自在に挿入し、巻取り軸の外側と内側に巻かれたスクリーンの長さの差がボトムバーの姿勢に影響を与えないようにしている。
しかしながら、スクリーンの折返し部内に円筒状のボトムバーを回転自在に挿入した構造では、スクリーンを張設したときに、該スクリーンの折返し部を介してボトムバーが建物開口部の下枠に当接することになり、スクリーン自体の強度はさほど大きいものでもないため、度重なるスクリーンの張設でその折返し部が建物開口部の下枠に当接し、しかも該下枠やスペーサとの摩擦を繰り返すと、スクリーンが該折返し部で破断するに至り、特に該スクリーンの折返し部はその内部にボトムバーを挿入して張力を付与しているので、部分的にでも破断するとその破断が早期に進行することになる。
【先行技術文献】
【特許文献】
【０００５】
【特許文献１】特開２００５−１４６５１８号公報
【発明の概要】
【発明が解決しようとする課題】
【０００６】
本発明の技術的課題は、巻取り軸に巻いた複数のスクリーンの下端にボトムバーを取り付け、上記複数のスクリーンの間に断熱のための空気層を設けるようにしたスクリーン装置において、巻取り軸の内側と外側に巻かれたスクリーンの長さの差がボトムバーの姿勢に影響を与えないようにし、該ボトムバーが一定の姿勢を保持しながら昇降するようにした断熱用スクリーン装置を提供することにある。
【課題を解決するための手段】
【０００７】
上記課題を解決するため、本発明によれば、単一の巻取り軸に複数のスクリーンの一端部を重ねた状態で巻取り自在に取り付け、該スクリーンの巻取り軸から導出した部位において、上記重ねたスクリーンの間に断熱のための空気層を形成するためのガイド筒を配設し、上記空気層を介して吊下する上記各スクリーンの下端に単一のボトムバーを取り付け、吊下した上記各スクリーンの間の空気層の側端を閉じると共に上記各スクリーンの側端をガイドするレール枠に、上記ボトムバーの側端を該ボトムバーが一定の姿勢で昇降するようにガイドするガイド部を設けたことを特徴とする断熱用スクリーン装置が提供される。
【０００８】
本発明に係る上記断熱用スクリーン装置の好ましい実施形態においては、上記スクリーンを建物開口部の下端まで吊下した状態において各スクリーンが平行になるように形成され、また、上記複数のスクリーンを、上記巻取り軸に巻かれた内側及び外側の２枚のスクリーンとし、上記内側と外側に巻かれたスクリーンの巻径の差により生じるスクリーン吊下時の外側スクリーンのたるみを除去する手段が設けられる。
【０００９】
更に、本発明に係る断熱用スクリーン装置の好ましい実施形態においては、上記たるみを除去する手段として、上記両スクリーンまたはいずれか一方のスクリーンの下端に沿って設けた係合部材と、上記係合部材に対向するボトムバーの前部縁及び／または後部縁に設けた上記係合部材と係合する係合部とにより形成され、上記係合部材が、上記ボトムバーの係合部に対して上記たるみを吸収する範囲内で上下方向に摺動自在であるものとし、あるいは、外側のスクリーンに対して上下方向の引張力を作用させる引張手段でを用いることもできる。
【発明の効果】
【００１０】
以上に詳述した本発明の断熱用スクリーン装置によれば、巻取り軸に巻いた複数のスクリーンの下端に取り付けたボトムバーを、その側端をレール枠により一定の姿勢で昇降するようにガイドして昇降させるので、巻取り軸の外側と内側に巻かれたスクリーンの長さの差がボトムバーの姿勢に影響を与えないようにすることができる。
また、スクリーンのたるみを除去する手段を付設したので、巻取り軸の外側と内側に巻かれたスクリーンの長さの差によりスクリーンがたるむのを防止することができる。
【図面の簡単な説明】
【００１１】
【図１】本発明に係る断熱用スクリーン装置の第１実施例を示すもので、（ａ）はボトムバーをレール枠の最上部に位置させた状態、（ｂ）は該ボトムバーをレール枠の上下の中間に位置させた状態、（ｃ）は該ボトムバーをレール枠の最下部に位置させた状態を示すそれぞれ縦断面図である。
【図２】上記第１実施例に係る断熱用スクリーン装置の一部を断面によって示す正面図である。
【図３】上記第１実施例における水平断面図である。
【図４】上記第１実施例におけるレール枠の斜視図である。
【図５】本発明に係る断熱用スクリーン装置の第２実施例を示すもので、（ａ）はボトムバーをレール枠の最上部に位置させた状態、（ｂ）は該ボトムバーをレール枠の上下の中間に位置させた状態、（ｃ）は該ボトムバーをレール枠の最下部に位置させた状態を示すそれぞれ縦断面図である。
【図６】上記第２実施例における水平断面図である。
【発明を実施するための形態】
【００１２】
まず、図１〜図４を参照して本発明に係る断熱用スクリーン装置の第１実施例について説明する。この断熱用スクリーン装置１は、スクリーン５を巻き取る単一の巻取り軸４を回転可能に収容した巻取りボックス２を備え、上記巻取り軸４は上記巻取りボックス２の両端のエンド部材３に周知の構造で回転自在に支持させて、該巻取り軸４内に設けたスプリング４ａによりスクリーン５を巻き取る方向に回転するように付勢されている。上記スクリーン５は、図１からわかるように、内側及び外側の２枚の非通風性のスクリーン５ａ，５ｂからなり、それらのスクリーン５ａ，５ｂの各一端部を重ねた状態で上記単一の巻取り軸４に巻き取られ、巻取りボックス２内における巻取り軸４からスクリーン５ａ，５ｂを導出した部位には、内側及び外側のスクリーン５ａ，５ｂの間に位置して両スクリーン間に断熱のための空気層７を形成するためのガイド筒６を、エンド部材３に回転自在に支持させて配設している。
なお、上記巻取りボックス２は、取付けブラケット９により建物開口部の上部に設置されるものである。
【００１３】
上記空気層７を介して吊下する上記各スクリーン５ａ，５ｂは、それらの下端に単一のボトムバー１０を取り付け、これによりスクリーン５ａ，５ｂ間の空気層７の側端を除いて該空気層７が閉じられている。
また、図２及び図３に示すように、吊下した上記各スクリーン５ａ，５ｂの左右両側に位置させて一対のレール枠１２，１２を配設し、該レール枠１２，１２により各スクリーン５ａ，５ｂ間の空気層７の側端を閉じると共に、以下に説明するように、上記スクリーン５ａ，５ｂ及び上記ボトムバー１０の側端をガイドさせている。上記レール枠１２は、その中央の上下方向に延在する取付面に、該レール枠１２自体を建物開口部に取り付けるためのネジ穴１３が形成されたものである（図４参照）。
【００１４】
図１の（ａ）〜（ｃ）において、上記内側のスクリーン５ａは、巻取り軸４から巻き戻してそのまま垂下させるようにしているため、同図の（ａ）の状態と同図の（ｃ）の状態で巻取り軸４から導出される位置が、該巻取り軸４における巻径に応じて相違している。一方、外側のスクリーン５ｂは、ガイド筒６によって垂下位置を決めているため、常に一定の位置から垂下する。しかしながら、少なくとも両スクリーン５ａ，５ｂが巻取り軸４から導出されて建物開口部の下端まで垂下した状態においては、効率的な断熱性を発揮させるために、それらのスクリーン５ａ，５ｂが平行であることが望まれる。そのため、図１の（ｃ）の状態においてはスクリーン５ａ，５ｂが平行になるように形成している。但し、スクリーン５の導出の段階において常に内外のスクリーン５ａ，５ｂを平行に保つのであれば、内側のスクリーン５ａについてもその垂下位置を決めるガイド筒を設ければよい。このようにスクリーン５ａ，５ｂを平行に保つのは、後述するように空気層７を閉空間にするために有効なものである。
【００１５】
なお、図示した第１実施例では、上記スクリーン５を内側及び外側の２枚のスクリーン５ａ，５ｂにより形成し、それらのスクリーン５ａ，５ｂの各一端部を単一の巻取り軸４に巻き取るようにしているが、上記スクリーン５は２枚に限るものではなく、２以上の複数枚によって複数の空気層が積層されたものとして構成することもでき、この場合にも複数のスクリーンを単一の巻取り軸４に巻き取るのは勿論であるが、必要に応じて複数のスクリーンの間に断熱のための空気層を形成するためのガイド筒を配設し、各スクリーンを建物開口部の下端まで垂下した状態においては、それらが平行になるようにすることが望まれる。
【００１６】
上記第１実施例において、両スクリーン５ａ，５ｂの下端に取り付ける単一のボトムバー１０は、その底面１０ａの前部縁及び後部縁にそれぞれ立設面１０ｂが形成されたものであり、一方、上記レール枠１２は、図３及び図４に示すように、その前後縁を内側に折曲してガイド部１２ａを形成することにより断面コ字状とし、それらのガイド部１２ａの内側に上記ボトムバー１０の側端における前後部縁の立設面１０ｂを挟んで、該ボトムバー１０が一定の姿勢を保持して昇降するように形成している。このガイド部１２ａ，１２ａには、上記ボトムバー１０の立設面１０ｂをガイドする凸条１２ｂを上下方向に延在させて形成している。従って、図２〜図４からわかるように、上記レール枠１２，１２のガイド部１２ａにより、スクリーン５ａ，５ｂをガイドしてそれらの間の空気層７の側端を閉じるだけでなく、ボトムバー１０の姿勢保持機構を構成させている。このように、ボトムバー１０に一定の姿勢を保持させると、それが図１の（ｃ）に示すように建物開口部の最下端に達したときに、該ボトムバー１０の底面１０ａを水平に保って建物開口部の下端面に密接させることができる。
【００１７】
また、上記レール枠１２におけるガイド部１２ａ，１２ａの内側には、ボトムバー１０の側端とスクリーン５ａ，５ｂの側端をガイドするガイド板１２ｃを上下方向に延在するように形成している。これらは、図示したように、ボトムバー１０の前後部縁間の長さに対して一対のスクリーン５ａ，５ｂ間の距離が小さい場合に、レール枠１２，１２内の空間を通してスクリーン５ａ，５ｂの側端を迂回する空気流路が形成され、スクリーン５ａ，５ｂ間の空気層７と該両スクリーン５ａ，５ｂの外側空間が連通するのを抑止するためのものである。しかしながら、上記ボトムバー１０の前後部縁間の長さと一対のスクリーン５ａ，５ｂ間の距離が殆ど同じ場合には、上記空気流路が形成されないので、上記ガイド板１２ｃを設ける必要はない。
【００１８】
上記スクリーン５の下端にボトムバー１０を連結するため、一対のスクリーン５ａ，５ｂの各下端に沿って、ボトムバー１０と連結するための係合部材１４を連結している。一方、上記係合部材１４に対向するボトムバー１０には、その底面１０ａの前部縁及び後部縁に形成した立設面１０ｂの上部に、上記スクリーン５ａ，５ｂの下端の係合部材１４と係合する係合部１０ｃが形成されている。
【００１９】
更に具体的に説明すると、上記ボトムバー１０の係合部１０ｃは、該ボトムバー１０における立設面１０ｂの上部を、上記係合部材１４に設けた折返し部１４ａを嵌入させる間隙を介して内側に折り返すことにより形成したものであり、また、上記スクリーン５ａ，５ｂの各下端に設けた係合部材１４における上記折返し部１４ａは、上記ボトムバー１０の係合部１０ｃを嵌入させる間隙を介して該係合部材１４を外側に折り返すことにより形成したものである。
【００２０】
前述したように、上記巻取り軸４に巻かれた内側と外側の２枚のスクリーン５ａ，５ｂは、それらの巻径の差により、スクリーン吊下時には外側のスクリーン５ｂが内側のスクリーン５ａよりも長く導出される。そのため、上記ボトムバー１０の姿勢保持機構により該ボトムバー１０の姿勢を一定に保持してそれを昇降させると、図１の（ａ）〜（ｃ）に示すように、ボトムバー１０の昇降位置に応じて内側と外側のスクリーン５ａ，５ｂのいずれかの長さに余裕が生じて、それがたるみの原因になり、その長さに余裕があるスクリーン５ａまたは５ｂに対して風その他の外力が作用すると、当該スクリーンにたるみが生じることになる。
【００２１】
スクリーン５ａ，５ｂのいずれかに上記たるみが生じるという問題を解消するため、上記スクリーン５ａ，５ｂでは、上記たるみを除去する手段を備えているが、まず、このたるみの除去手段の前提となる構成として、上記スクリーン５ａ，５ｂの下端の係合部材１４における折返し部１４ａと、上記ボトムバー１０の係合部１０ｃとを、上記たるみを吸収できる範囲内で上下方向に摺動自在に係合させている。但し、その摺動範囲は、上記係合部材１４における折返し部１４ａの先端がボトムバー１０の係合部１０ｃと係合する最深位置と、上記折返し部１４ａがボトムバー１０の係合部１０ｃから完全に離脱しないで僅かに係合する範囲内である。
【００２２】
上記ボトムバー１０の係合部１０ｃに対する係合部材１４の折返し部１４ａの係合の態様について具体的に説明すると、図示した第１実施例では、図１の（ａ）に示すように、ボトムバー１０をレール枠１２の最上部に位置させた状態では、内側のスクリーン５ａにおける係合部材１４の折返し部１４ａが、ボトムバー１０における係合部１０ｃから離脱する直前の位置にあり、外側のスクリーン５ｂにおける係合部材１４の折返し部１４ａはボトムバー１０の係合部１０ｃと最深位置まで係合した位置にある。また、図１の（ｂ）に示すように、ボトムバー１０がレール枠１２の中間位置にある状態では、両スクリーン５ａ，５ｂにおける係合部材１４の折返し部１４ａがボトムバー１０の係合部１０ｃと最深位置まで係合した位置にあり、この状態ではボトムバー１０の重量によって両スクリーン５ａ，５ｂにたるみが生じない状態にある。
【００２３】
更に、図１の（ｃ）に示すように、ボトムバー１０をレール枠１２の最下部に位置させた状態では、外側のスクリーン５ｂの導出長さが長くなるため、該スクリーン５ｂにおける係合部材１４の折返し部１４ａが、ボトムバー１０における係合部１０ｃから離脱する直前の最下端位置にあり、内側のスクリーン５ａにおける係合部材１４の折返し部１４ａはボトムバー１０の係合部１０ｃと最深位置まで係合した位置にある。この状態では、外側のスクリーン５ｂにおける係合部材１４の折返し部１４ａがボトムバー１０の係合部１０ｃから離脱する直前の位置にあるため、該外側のスクリーン５ｂに対して風その他の外力が作用すると、たるみが生じる可能性がある。
【００２４】
上記たるみを除去するための手段としては、例えば、上述した第１実施例では、外側のスクリーン５ｂの下端に沿って設けた係合部材１４として通常は合成樹脂材を用いることになるが、それを重量のある金属材によって形成することにより、図１の（ｃ）の状態で当該係合部材１４の重量で外側のスクリーン５ｂをたるみが生じないようにするとか、外側のスクリーン５における係合部材１４とボトムバー１０との間に該係合部材１４を図１の（ｃ）の位置に弾性的に牽引するスプリングを設けて上記係合部材１４の重量に代えることができる。
【００２５】
また、上記第１実施例においては、内側及び外側のスクリーン５ａ，５ｂの下端の係合部材１４とボトムバー１０の前部縁及び後部縁に形成した係合部１０ｃとをそれぞれ上下方向に摺動自在に係合させた構成を備えているが、例えば、図１の（ｃ）に示すようにボトムバー１０をレール枠１２の最下部に位置させた状態で、ボトムバー１０と係合部材１４とが、同図の（ｂ）に示すように、両係合部材１４の折返し部１４ａがボトムバー１０の係合部１０ｃと最深位置まで係合した位置にあるように調整すれば、上述したように係合部材１４に重量を付加したり、スプリングの付勢力を作用させたりする必要がなく、単純に両スクリーン５ａ，５ｂの下端をボトムバーの前部縁及び後部縁に固定することができる。
【００２６】
但し、図１の（ａ）に示すようにボトムバー１０をレール枠１２の最上部に位置させた状態では、内側のスクリーン５ａにたるみが生じることになるが、そのたるみは巻取りボックス２内おいて生じるものであり、外部に現れることがないので、該たるみがスクリーン５の張設・収納等の操作に悪影響を及ぼさない限り、そのたるみを取るための対策を講じなくてもよいが、必要に応じて、内側のスクリーン５ａのたるみをなくすために、内側のスクリーン５ａとボトムバー１０だけに上述した折返し部１４ａを有する係合部材１４と係合部１０ｃを設けて、前述した係合部材１４の重量やスプリングの付勢力を作用させることができる。
【００２７】
上記とは逆に、内側のスクリーン５ａとボトムバー１０とを固定的に連結し、外側のスクリーン５ｂとボトムバー１０だけに上述した折返し部１４ａを有する係合部材１４と係合部１０ｃを設けて、図１の（ｃ）に示すようにボトムバー１０がレール枠１２の最下部に位置した状態では、係合部材１４の折返し部１４ａがボトムバー１０の係合部１０ｃから離脱する直前の位置にあるように調整することもでき、この場合に、外側のスクリーン５ｂがたるむのを抑制するには、上述したように係合部材１４に重量を付加したり、スプリングの付勢力を作用させたりすればよい。
【００２８】
上記第１実施例においては、巻取り軸４内に設けたスプリング４ａの付勢力によりスクリーン５を巻き取るようにした構成を備え、ボトムバー１０に取り付けたプルボール１８を下に引くことにより、スクリーン５を導出するようにしているが、スクリーン５の巻取りはそれに限定されるものではなく、巻取り軸４に連結されたスプロケットに巻掛けた鎖等の操作用部材、その他周知の操作機構によって操作可能にすることができる。
なお、図中の符号１６は、巻取りボックス２内を通してスクリーン５ａ，５ｂ間の空気層７が外気と連通するのを抑制するモヘアを示している。
【００２９】
次に、図５及び図６を参照して、本発明に係る断熱用スクリーン装置の第２実施例について説明する。図５に示すものは第１実施例の図１に対応し、図６に示すものは同図３に対応している。また、第１実施例と対応する部分には同一の符号を付している。
この第２実施例は、スクリーン５ａ，５ｂの吊下時におけるたるみを除去する手段として、外側のスクリーン５ｂに対して上下方向の引張力を作用させるようにしたものであり、更に具体的には、巻取りボックス２のエンド部材３に回転自在に支持させている外側のスクリーン５ｂのガイド筒６の軸受け２１を、上記エンド部材３に上下摺動自在に保持させ、該軸受け２１をスプリング２２により上方に付勢している。上記スプリング２２の付勢力は、外側のスクリーン５ｂのたるみを除去するに必要な程度のものである。
【００３０】
この第２実施例においても、巻取り軸４において、内側のスクリーン５ａよりも外側のスクリーン５ｂの巻径がスクリーンの厚さ分だけ大きいことから、スクリーン５を図５の（ｃ）の状態に吊下したときに、外側のスクリーン５ｂにたるみが生じることになるが、このたるみは、上記スプリング２２の作用によって解消される。
【００３１】
なお、この第２実施例では、図５及び図６に示すように、第１実施例におけるレール枠１２の前後縁を折曲して形成したガイド部１２ａの凸条１２ｂに代えてモヘア２３を用い、それらのモヘア２３によってボトムバー１０の側端における前後部縁の立設面１０ｂを挟んで、該ボトムバー１０が一定の姿勢を保持して昇降するように形成し、また、該モヘア２３によってスクリーン５ａ，５ｂと上記ガイド部１２ａとの間からレール枠１２内を通して空気が流通するのを抑止しているが、これらの点を除いて基本的構成は第１実施例の場合と変わるところがないので、第１実施例の構成と対応する上記以外の部分に同一の符号を付して、それらの説明を省略する。
【符号の説明】
【００３２】
１      断熱用スクリーン装置
４      巻取り軸
５，５ａ，５ｂ    スクリーン
６      ガイド筒
７      空気層
１０      ボトムバー
１０ｃ    係合部
１２      レール枠
１２ａ    ガイド部
１４      係合部材
【図１】
2011196025.tif 000003
【図２】
2011196025.tif 000004
【図３】
2011196025.tif 000005
【図４】
2011196025.tif 000006
【図５】
2011196025.tif 000007
【図６】
2011196025.tif 000008